【手続補正書】
【提出日】平成17年9月15日(2005.9.15)
【手続補正１】
【補正対象書類名】明細書
【補正対象項目名】特許請求の範囲
【補正方法】変更
【補正の内容】
【特許請求の範囲】
【請求項１】アンテナで受信された受信信号に基づくアンテナ信号を増幅するＡＧＣ増幅器と、該増幅された増幅信号を互いに直交する位相成分に分離する直交検波器と、該位相成分をＡＤ変換するＡＤ変換器とを具備する広域帯無線受信機に設けられたＡＧＣ増幅器の制御を行うＡＧＣ制御回路であって、
前記ＡＤ変換器のサンプリング周波数でＡＤ変換されたＮ（ただしＮは自然数）サンプルの前記位相成分が所定の閾値を超える回数をカウントするカウンタ回路と、
該カウント値を一時記憶するラッチ回路と、
該ラッチ回路が出力する前記カウンタ値と所定の閾値とを比較し、該比較結果に基づいて、前記ＡＧＣ増幅器の増幅度を制御する比較回路と
を具備することを特徴とするＡＧＣ制御回路。
【請求項２】アンテナで受信された受信信号に基づくアンテナ信号を増幅するＡＧＣ増幅器と、該増幅された増幅信号を互いに直交する位相成分に分離する直交検波器と、該位相成分をＡＤ変換するＡＤ変換器とを具備する広域帯無線受信機に設けられたＡＧＣ増幅器の制御を行うＡＧＣ制御回路であって、
前記ＡＤ変換器のサンプリング周波数でＡＤ変換されたＮ（ただしＮは自然数）サンプルの前記位相成分が予め設定された第１の閾値を超える回数をカウントする第１のカウンタ回路と、
前記Ｎサンプルの前記位相成分が、前記第１の閾値より小さい第２の閾値を超える回数をカウントする第２のカウンタ回路と、
該第１のカウンタ回路のカウント値を一時記憶する第１のラッチ回路と、
該第２のカウンタ回路のカウント値を一時記憶する第２のラッチ回路と、
該第１のラッチ回路が出力する前記カウンタ値と予め設定された第３の閾値とを比較し、該カウンタ値が該閾値以上であれば、前記ＡＧＣ増幅器の増幅度を下げる制御信号を出力する第１の比較回路と、
該第２のラッチ回路が出力する前記カウンタ値と予め設定された第４の閾値とを比較し、該カウンタ値が該閾値以下であれば、前記ＡＧＣ増幅器の増幅度を上げる制御信号を出力する第２の比較回路と、
該第１、第２の比較回路より該制御信号の入力を受けて、予め設定された優先順位に基づいて、該第１又は第２の比較回路の制御信号を前記ＡＧＣ増幅器に出力する第３の比較回路と
を具備することを特徴とするＡＧＣ制御回路。
【請求項３】アンテナで受信された受信信号に基づくアンテナ信号を増幅するＡＧＣ増幅器と、該増幅された増幅信号を互いに直交する位相成分に分離する直交検波器と、該位相成分をＡＤ変換するＡＤ変換器とを具備する広域帯無線受信機に設けられたＡＧＣ増幅器の制御を行うＡＧＣ制御回路であって、
前記ＡＤ変換器のサンプリング周波数でＡＤ変換されたＮ（ただしＮは自然数）サンプルの前記位相成分が予め設定された第１の閾値を超える回数をカウントする第１のカウンタ回路と、
前記Ｎサンプルの前記位相成分が、前記第１の閾値より小さい第２の閾値を超える回数をカウントする第２のカウンタ回路と、
前記ＡＤ変換器のサンプリング周波数でＡＤ変換されたＭ（ただしＭはＮより大きい自然数）の前記位相成分が、前記第１の閾値より小さく、前記第２の閾値より大きい第３の閾値を超える回数をカウントする第３のカウンタ回路と、
該第１のカウンタ回路のカウント値を一時記憶する第１のラッチ回路と、
該第２のカウンタ回路のカウント値を一時記憶する第２のラッチ回路と、
該第３のカウンタ回路のカウント値を一時記憶する第３のラッチ回路と、
該第１のラッチ回路が出力する前記カウンタ値と予め設定された第４の閾値とを比較し、該カウンタ値が該閾値以上であれば、前記ＡＧＣ増幅器の増幅度を下げる制御信号を出力する第１の比較回路と、
該第２のラッチ回路が出力する前記カウンタ値と予め設定された第５の閾値とを比較し、該カウンタ値が該閾値以下であれば、前記ＡＧＣ増幅器の増幅度を上げる制御信号を出力する第２の比較回路と、
該第３のラッチ回路が出力する前記カウンタ値と予め設定された第６の閾値とを比較し、該カウンタ値が該閾値以下であれば、前記ＡＧＣ増幅器の増幅度を下げ、前記カウンタ値と予め設定された第７の閾値とを比較し、該カウンタ値が該閾値以上であれば、前記ＡＧＣ増幅器の増幅度を上げる制御信号を出力する第３の比較回路と、
該第１、第２、第３の比較回路より該制御信号の入力を受けて、予め設定された優先順位に基づいて、該第１又は第２又は第３の比較回路の制御信号を前記ＡＧＣ増幅器に出力する第４の比較回路と
を具備することを特徴とするＡＧＣ制御回路。
【請求項４】請求項１から請求項３のいずれかの項に記載のＡＧＣ制御回路
を具備することを特徴とする広域帯無線受信機。
【請求項５】電波信号を受信するアンテナと、
該アンテナで受信された受信信号の同相成分及び直交成分を分離する直交検波器と、
該同相成分を増幅する第１のＡＧＣ増幅器と、
該直交成分を増幅する第２のＡＧＣ増幅器と、
該第１のＡＧＣ増幅器で増幅された増幅信号をＡＤ変換する第１のＡＤ変換器と、
該第２のＡＧＣ増幅器で増幅された増幅信号をＡＤ変換する第２のＡＤ変換器と、
該第１のＡＤ変換器でＡＤ変換された同相成分の入力に基づいて、前記第１のＡＧＣ増幅器における増幅度を制御する請求項１から請求項３のいずれかの項に記載のＡＧＣ制御回路と、
該第２のＡＤ変換器でＡＤ変換された直交成分の入力に基づいて、前記第２のＡＧＣ増幅器における増幅度を制御する請求項１から請求項３のいずれかの項に記載のＡＧＣ制御回路と、
を具備することを特徴とする広域帯無線受信機。
【請求項６】広域帯無線受信機におけるＡＧＣ増幅器の制御を行うＡＧＣ制御方法であって、
ＡＧＣ増幅器がアンテナで受信された受信信号を増幅し、
直交検波器が該増幅された増幅信号を互いに直交する位相成分に分離し、
ＡＤ変換器が、該位相成分をＡＤ変換し、
カウンタ回路が、該ＡＤ変換器のサンプリング周波数でＡＤ変換されたＮ（ただしＮは自然数）サンプルの前記位相成分が所定の閾値を超える回数をカウントし、
ラッチ回路が該カウント値の入力を受けてセットし、
比較回路が該ラッチ回路が出力する前記カウンタ値と所定の閾値とを比較し、該カウンタ値が該閾値以上であれば、前記ＡＧＣ増幅器の増幅度を下げる
ことを特徴とするＡＧＣ増幅器制御方法。
【手続補正２】
【補正対象書類名】明細書
【補正対象項目名】０００８
【補正方法】変更
【補正の内容】
【０００８】
【課題を解決するための手段】
この発明は上記の課題を解決すべくなされたもので、請求項１に記載の発明は、アンテナで受信された受信信号に基づくアンテナ信号を増幅するＡＧＣ増幅器と、該増幅された増幅信号を互いに直交する位相成分に分離する直交検波器と、該位相成分をＡＤ変換するＡＤ変換器とを具備する広域帯無線受信機に設けられたＡＧＣ増幅器の制御を行うＡＧＣ制御回路であって、前記ＡＤ変換器のサンプリング周波数でＡＤ変換されたＮ（ただしＮは自然数）サンプルの前記位相成分が所定の閾値を超える回数をカウントするカウンタ回路と、該カウント値を一時記憶するラッチ回路と、該ラッチ回路が出力する前記カウンタ値と所定の閾値とを比較し、該比較結果に基づいて、前記ＡＧＣ増幅器の増幅度を制御する比較回路とを具備することを特徴とする。
【手続補正３】
【補正対象書類名】明細書
【補正対象項目名】０００９
【補正方法】変更
【補正の内容】
【０００９】
請求項２に記載の発明は、アンテナで受信された受信信号に基づくアンテナ信号を増幅するＡＧＣ増幅器と、該増幅された増幅信号を互いに直交する位相成分に分離する直交検波器と、該位相成分をＡＤ変換するＡＤ変換器とを具備する広域帯無線受信機に設けられたＡＧＣ増幅器の制御を行うＡＧＣ制御回路であって、前記ＡＤ変換器のサンプリング周波数でＡＤ変換されたＮ（ただしＮは自然数）サンプルの前記位相成分が予め設定された第１の閾値を超える回数をカウントする第１のカウンタ回路と、前記Ｎサンプルの前記位相成分が、前記第１の閾値より小さい第２の閾値を超える回数をカウントする第２のカウンタ回路と、該第１のカウンタ回路のカウント値を一時記憶する第１のラッチ回路と、該第２のカウンタ回路のカウント値を一時記憶する第２のラッチ回路と、該第１のラッチ回路が出力する前記カウンタ値と予め設定された第３の閾値とを比較し、該カウンタ値が該閾値以上であれば、前記ＡＧＣ増幅器の増幅度を下げる制御信号を出力する第１の比較回路と、該第２のラッチ回路が出力する前記カウンタ値と予め設定された第４の閾値とを比較し、該カウンタ値が該閾値以下であれば、前記ＡＧＣ増幅器の増幅度を上げる制御信号を出力する第２の比較回路と、該第１、第２の比較回路より該制御信号の入力を受けて、予め設定された優先順位に基づいて、該第１又は第２の比較回路の制御信号を前記ＡＧＣ増幅器に出力する第３の比較回路とを具備することを特徴とする。
【手続補正４】
【補正対象書類名】明細書
【補正対象項目名】００１０
【補正方法】変更
【補正の内容】
【００１０】
請求項３に記載の発明は、アンテナで受信された受信信号に基づくアンテナ信号を増幅するＡＧＣ増幅器と、該増幅された増幅信号を互いに直交する位相成分に分離する直交検波器と、該位相成分をＡＤ変換するＡＤ変換器とを具備する広域帯無線受信機に設けられたＡＧＣ増幅器の制御を行うＡＧＣ制御回路であって、前記ＡＤ変換器のサンプリング周波数でＡＤ変換されたＮ（ただしＮは自然数）サンプルの前記位相成分が予め設定された第１の閾値を超える回数をカウントする第１のカウンタ回路と、前記Ｎサンプルの前記位相成分が、前記第１の閾値より小さい第２の閾値を超える回数をカウントする第２のカウンタ回路と、前記ＡＤ変換器のサンプリング周波数でＡＤ変換されたＭ（ただしＭはＮより大きい自然数）の前記位相成分が、前記第１の閾値より小さく、前記第２の閾値より大きい第３の閾値を超える回数をカウントする第３のカウンタ回路と、該第１のカウンタ回路のカウント値を一時記憶する第１のラッチ回路と、該第２のカウンタ回路のカウント値を一時記憶する第２のラッチ回路と、該第３のカウンタ回路のカウント値を一時記憶する第３のラッチ回路と、該第１のラッチ回路が出力する前記カウンタ値と予め設定された第４の閾値とを比較し、該カウンタ値が該閾値以上であれば、前記ＡＧＣ増幅器の増幅度を下げる制御信号を出力する第１の比較回路と、該第２のラッチ回路が出力する前記カウンタ値と予め設定された第５の閾値とを比較し、該カウンタ値が該閾値以下であれば、前記ＡＧＣ増幅器の増幅度を上げる制御信号を出力する第２の比較回路と、該第３のラッチ回路が出力する前記カウンタ値と予め設定された第６の閾値とを比較し、該カウンタ値が該閾値以下であれば、前記ＡＧＣ増幅器の増幅度を下げ、前記カウンタ値と予め設定された第７の閾値とを比較し、該カウンタ値が該閾値以上であれば、前記ＡＧＣ増幅器の増幅度を上げる制御信号を出力する第３の比較回路と、該第１、第２、第３の比較回路より該制御信号の入力を受けて、予め設定された優先順位に基づいて、該第１又は第２又は第３の比較回路の制御信号を前記ＡＧＣ増幅器に出力する第４の比較回路とを具備することを特徴とする。
【手続補正５】
【補正対象書類名】明細書
【補正対象項目名】００１１
【補正方法】変更
【補正の内容】
【００１１】
請求項４に記載の発明は、請求項１から請求項３のいずれかの項に記載のＡＧＣ制御回路を具備することを特徴とする。
【手続補正６】
【補正対象書類名】明細書
【補正対象項目名】００１２
【補正方法】変更
【補正の内容】
【００１２】
請求項５に記載の発明は、電波信号を受信するアンテナと、該アンテナで受信された受信信号の同相成分及び直交成分を分離する直交検波器と、該同相成分を増幅する第１のＡＧＣ増幅器と、該直交成分を増幅する第２のＡＧＣ増幅器と、該第１のＡＧＣ増幅器で増幅された増幅信号をＡＤ変換する第１のＡＤ変換器と、該第２のＡＧＣ増幅器で増幅された増幅信号をＡＤ変換する第２のＡＤ変換器と、該第１のＡＤ変換器でＡＤ変換された同相成分の入力に基づいて、前記第１のＡＧＣ増幅器における増幅度を制御する請求項１から請求項３のいずれかの項に記載のＡＧＣ制御回路と、該第２のＡＤ変換器でＡＤ変換された直交成分の入力に基づいて、前記第２のＡＧＣ増幅器における増幅度を制御する請求項１から請求項３のいずれかの項に記載のＡＧＣ制御回路と、を具備することを特徴とする。
【手続補正７】
【補正対象書類名】明細書
【補正対象項目名】００１３
【補正方法】変更
【補正の内容】
【００１３】
請求項６に記載の発明は、広域帯無線受信機におけるＡＧＣ増幅器の制御を行うＡＧＣ制御方法であって、ＡＧＣ増幅器がアンテナで受信された受信信号を増幅し、直交検波器が該増幅された増幅信号を互いに直交する位相成分に分離し、ＡＤ変換器が、該位相成分をＡＤ変換し、カウンタ回路が、該ＡＤ変換器のサンプリング周波数でＡＤ変換されたＮ（ただしＮは自然数）サンプルの前記位相成分が所定の閾値を超える回数をカウントし、ラッチ回路が該カウント値の入力を受けてセットし、比較回路が該ラッチ回路が出力する前記カウンタ値と所定の閾値とを比較し、該カウンタ値が該閾値以上であれば、前記ＡＧＣ増幅器の増幅度を下げることを特徴とする。